(57)【要約】【課題】装飾分野に利用することが可能なパネル構造を提供し、特にいつでも自由に交換することが可能で、パネル上の構成部分を増減させることが可能な組み立て式多用途溝板を提供する。【解決手段】組み立て式多用途溝板は、基板１と複数のパネル２を備える。基板１には、アレイ状に配列された複数の第１の締結具１１が突設されている。複数のパネル２は、基板１の第１の締結具１１に対応した位置に第２の締結具２１を有し、第２の締結具２１により基板１の第１の締結具１１と締結されている。基板１とパネル２との間には、第１の空間が形成され、互いに隣接したパネル２の間に第２の空間が形成されている。第１の空間と第２の空間とは連通し、第２の空間の断面幅は第１の空間の断面幅よりも小さい。【選択図】図１
0003144779.tif 000002
【実用新案登録請求の範囲】
【請求項１】
基板および複数のパネルを備えた組み立て式多用途溝板であって、
前記基板には、アレイ状に配列された複数の第１の締結具が突設され、
前記複数のパネルは、前記基板の第１の締結具に対応した位置に第２の締結具を有し、前記第２の締結具により前記基板の前記第１の締結具と締結され、前記基板と前記パネルとの間に第１の空間が形成され、互いに隣接した前記パネルの間に第２の空間が形成され、前記第１の空間と前記第２の空間とは連通し、前記第２の空間の断面幅は前記第１の空間の断面幅よりも小さいことを特徴とする、組み立て式多用途溝板。
【請求項２】
前記基板の前記第１の締結具は、中空の封止領域を囲んで形成する凸部であることを特徴とする、請求項１に記載の組み立て式多用途溝板。
【請求項３】
前記基板は、前記第２の空間に対応した凹部を有し、前記凹部の断面幅は、前記第２の空間の断面幅と同じであることを特徴とする、請求項１に記載の組み立て式多用途溝板。
【請求項４】
前記基板の前記第１の締結具および前記パネルの前記第２の締結具は、互いに対応して係合可能な爪であることを特徴とする、請求項１に記載の組み立て式多用途溝板。
【請求項５】
前記基板の前記第１の締結具および前記パネルの前記第２の締結具は、互いに対応して螺合可能な雄ネジおよび雌ネジであることを特徴とする、請求項１に記載の組み立て式多用途溝板。
【請求項６】
前記第１の締結具および前記パネルの前記第２の締結具は、互いに対応して係合可能なフックおよび係止孔であることを特徴とする、請求項１に記載の組み立て式多用途溝板。
【考案の詳細な説明】
【技術分野】
【０００１】
本考案は、装飾分野に利用する組み立て式多用途溝板に係り、特に屏風、装飾板、隔板、展示板、ランプケースに利用する組み立て式多用途溝板に関する。
【背景技術】
【０００２】
従来、一般の装飾分野に利用するパネル（または蓋板）は、基板上にパネルを直接固定する構造であったため、基板上に取付けて固定すると、自在に着脱させて交換することができなくなった。そのため、パネル上の模様を修正したり変更したりするときは、再び設計・施工を行う必要があった。つまり、パネルおよび基板の両方を交換しなければならなかったため、時間と労力が余計にかかる上に材料が浪費され、さらには建築物の他の部分が破壊されることもあった。
【０００３】
下記特許文献１から４では、組み立て式装飾板に関する従来技術（国際特許分類Ｅ０４Ｆ  １９／０６を含む）が開示されているが、これらの技術では、屏風、装飾板、隔板、展示板、ランプケースに利用することができない上、迅速に組み立てたり、簡便に取り外して交換し、パネルの外観を変更したりすることはできなかった。
【特許文献１】アメリカ合衆国特許第４０６３３９３号公報
【特許文献２】アメリカ合衆国特許第４１１４２４７号公報
【特許文献３】アメリカ合衆国特許第４９１３５７６号公報
【特許文献４】アメリカ合衆国特許第５６２３８００号公報
【考案の開示】
【考案が解決しようとする課題】
【０００４】
本考案の目的は、装飾分野に利用することが可能なパネル構造を提供し、いつでも自由に交換することが可能で、パネル上の構成部分を増減させることが可能な組み立て式多用途溝板を提供することにある。
【課題を解決するための手段】
【０００５】
第１の考案は、基板および複数のパネルを備えた組み立て式多用途溝板であって、基板には、アレイ状に配列された複数の第１の締結具が突設され、複数のパネルは、基板の第１の締結具に対応した位置に第２の締結具を有し、第２の締結具により基板の第１の締結具と締結され、基板とパネルとの間に第１の空間が形成され、互いに隣接したパネルの間に第２の空間が形成され、第１の空間と第２の空間とは連通し、第２の空間の断面幅は第１の空間の断面幅よりも小さいことを特徴とする組み立て式多用途溝板である。
【０００６】
第２の考案は、上記第１の考案に記載の組み立て式多用途溝板であって、基板の第１の締結具は、中空の封止領域を囲んで形成する凸部であることを特徴とする組み立て式多用途溝板である。
【０００７】
第３の考案は、上記第１の考案に記載の組み立て式多用途溝板であって、基板は、第２の空間に対応した凹部を有し、凹部の断面幅は、第２の空間の断面幅と同じであることを特徴とする組み立て式多用途溝板である。
【０００８】
第４の考案は、上記第１の考案に記載の組み立て式多用途溝板であって、基板の第１の締結具およびパネルの第２の締結具は、互いに対応して係合させることが可能な爪であることを特徴とする組み立て式多用途溝板である。
【０００９】
第５の考案は、上記第１の考案に記載の組み立て式多用途溝板であって、基板の第１の締結具およびパネルの第２の締結具は、互いに対応して螺合させることが可能な雄ネジおよび雌ネジであることを特徴とする組み立て式多用途溝板である。
【００１０】
第６の考案は、上記第１の考案に記載の組み立て式多用途溝板であって、第１の締結具およびパネルの第２の締結具は、互いに対応して係合させることが可能なフックおよび係止孔であることを特徴とする組み立て式多用途溝板である。
【考案の効果】
【００１１】
本考案の組み立て式多用途溝板は、ランプケース、屏風、装飾板、隔板であるパネルと基板とを着脱自在にすることにより、構成要素の交換、組立又は増加を行うことができる。
【考案を実施するための最良の形態】
【００１２】
以下に、本考案を実施するための最良の実施形態について、図面を用いて説明する。
【００１３】
図１から図３に示すように、本考案の一実施形態による組み立て式多用途溝板は、基板１および複数のパネル２を含む。
【００１４】
基板１には、アレイ状に配列された複数の第１の締結具１１が突設されている。第１の締結具１１は、中空の封止領域を囲んで形成する凸部である。
【００１５】
パネル２には、基板１の第１の締結具１１に対応した位置に第２の締結具２１が設けられている。第２の締結具２１は、パネル２から突出され、第１の締結具１１内に対応するように緊迫させることにより、基板１の第１の締結具１１と締結され、基板１とパネル２との間に第１の空間３が形成される。互いに隣接したパネル２の間には第２の空間４が形成され、第１の空間３と第２の空間４とが連通している。図３に示すように、基板１とパネル２との間には、幅Ｄを有する第１の空間３が形成され、互いに隣接したパネル２の間には幅ｄを有する第２の空間４が形成されている。図１から図３を見ると分かるように、第２の空間４の断面幅ｄは、第１の空間３の断面幅Ｄよりも小さい（即ちｄ＜Ｄである）。
【００１６】
図４は、本考案の一変形例を示した断面図である。図４に示すように、基板１Ａには、第２の空間４に対応した位置に凹部１２Ａが設けられている。
【００１７】
図４から図６に示すように、互いに隣接したパネル２の間には第２の空間４が形成され、第２の空間４は第１の空間３と連通し、凹部１２Ａは第２の空間４の位置に対応し、凹部１２Ａの断面幅と第２の空間４の断面幅とは同じであるため、図６に示すように、互いに隣接したパネル２の間に形成されている第２の空間４に置物板５，５Ａが挿入されると、第１の空間３に貫設されてから凹部１２Ａに嵌挿され、凹部１２Ａにより、基板１Ａに置物板５，５Ａの位置決めを行うさらにもう１つの点が提供され、置物板５，５Ａの位置決めをさらに安定して行うことができる。このように、所望の任意の位置に置物板５，５Ａを係止させることができる。この置物板５，５Ａの数は、必要に応じて増減させることもできる。
【００１８】
図７に示すように、置物板５Ｂ，５Ｃには、ストッパー５１Ｂ，５１Ｃが設けられ、置物板５Ｂ，５Ｃは、基板１Ａと最も外側にあるパネル２との間で、互いに対応した位置にある第１の空間３および第２の空間４内に挿入され、ストッパー５１Ｂ，５１ｃを第１の空間３中に係止させると、結合をさらに強固に行うことができる。
【００１９】
図８に示すように、本考案の一変形例では、パネル２Ａの第２の締結具２１Ａは中実であり、基板１Ａの第１の締結具１１Ａ中に対応するように緊迫させてもよい。
【００２０】
図９は、本考案の一変形例を示す拡大断面図である。図９に示すように、パネル２Ｂの第２の締結具２１Ｂは、基板１Ａの第１の締結具１１Ａよりも大きく設計され、基板１Ａの第１の締結具１１Ａの外側に対応する位置で緊迫させてもよい。
【００２１】
前述の第１の締結具１１，１１Ａと第２の締結具２１，２１Ａ，２１Ｂとは互いに対応するように係合された爪であり、その対応した態様は互いに交換してもよい。
【００２２】
図１０は、本考案の一変形例を示す拡大図である。図１０に示すように、基板１Ｂとパネル２Ｃとを接触させ、雄ネジと雌ネジとを互いに螺合させる。図１０に示すように、基板１Ｂの第１の締結具１１Ｂはネジであり、基板１Ｂには貫通孔１３Ｂが設けられ、パネル２Ｃの第２の締結具２１Ｃはネジ穴である。第１の締結具１１Ｂ（ボルト）をまず貫通孔１３Ｂに挿入させてから第２の締結具２１Ｃ（ネジ穴）へねじ込むと、基板１Ｂとパネル２Ｃとが固定される。基板１Ｂには、前述した第１の締結具１１，１１Ａに類似した凸部が設けられているため、基板１Ｂとパネル２Ｃとを結合させた後でも、第１の空間３および第２の空間４を依然として保持することができる。ただし、第１の締結具１１Ｂ（ボルト）の雄ネジ部分は、第２の締結具２１Ｃの雌ネジ部分よりも長いため、それら雄ネジ部分と雌ネジ部分とを螺合させると、第１の空間３および第２の空間４が画定される。さらに、第１の締結具１１Ｂと第２の締結具２１Ｃとを対応させる態様は互いに交換してもよい。
【００２３】
図１１および図１２は、本考案の一変形例を示す拡大図である。図１１および図１２に示すように、本実施形態による基板１Ｃとパネル２Ｄとの締結には、フックと係止孔とを係合させる方式が採用されている。図１１に示すように、基板１Ｃの第１の締結具１１Ｃには、係止孔１１１Ｃが穿設され、パネル２Ｄの第２の締結具２１Ｄには、フック２１１Ｄが設けられ、このフック２１１Ｄを係止孔１１１Ｃに係止させ、基板１Ｃにパネル２Ｄを固定させる。図１２に示すように、フック２１１Ｄを係止孔１１１Ｃから外すと、パネル２Ｄは基板１Ｃから離すことができる。
【００２４】
前述の第１の締結具１１Ｃと第２の締結具２１Ｄとを対応させる態様は交換してもよい。
【００２５】
図１３に示すように、複数のパネル２Ｅ間には、物品（例えば、前述の置物板５，５Ａなど）を様々な位置で挿入するのに都合が良いように、円状溝２４Ｅが形成されている。
【００２６】
本考案のパネルおよび基板は、取り外しが可能なため、交換したり、新たに組み立てたり、新しい構成要素を増やしたりすることを簡便に行うことができる。本考案のパネルの第１の締結具と、基板の第２の締結具とを止着させる方法としては、工業接着剤、高周波溶接または超音波を利用してもよい。また、本考案によるパネルの表面には、貼付層、印刷層または装飾模様が設けられてもよい。さらに本考案のパネルは、正方形、長方形、三角形、五角形など様々な形状からなってもよい。本考案の接続部材の固定部材、係合部材および凹部の外形は、取り付けて固定する要求に合致させることができる限り、六角柱状、円柱状など、様々な方体状でもよい。さらに本考案のパネルは、エレクトロルミネッセンスディスプレイパネルまたは小型の液晶表示パネルでもよい。
【００２７】
当該分野の技術を熟知するものが理解できるように、本考案の好適な実施形態を前述の通り開示したが、これらは決して本考案を限定するものではない。本考案の主旨と領域を脱しない範囲内で各種の変更や修正を加えることができる。従って、本考案の実用新案登録請求の範囲は、このような変更や修正を含めて広く解釈されるべきである。
【図面の簡単な説明】
【００２８】
【図１】本考案の組み立て式多用途溝板を示す斜視図
【図２】本考案の組み立て式多用途溝板を組み立てたときの状態を示す断面図
【図３】本考案の第１の空間および第２の空間の幅を示す拡大断面図
【図４】本考案の組み立て式多用途溝板を組み立てたときの状態を示す断面図
【図５】本考案の組み立て式多用途溝板を使用するときの状態を示す斜視図
【図６】本考案の平板状置物板を有する組み立て式多用途溝板を使用するときの状態を示す断面図
【図７】本考案の折り曲げられた置物板を有する組み立て式多用途溝板を使用するときの状態を示す断面図
【図８】本考案の一変形例を示す拡大断面図
【図９】本考案の一変形例を示す拡大断面図
【図１０】本考案の一変形例を示す拡大断面図
【図１１】本考案の一変形例を示す拡大断面図
【図１２】本考案の一変形例を示す拡大断面図
【図１３】本考案の一変形例によるパネルを示す正面図
【符号の説明】
【００２９】
１              基板
１Ａ            基板
１Ｂ            基板
１Ｃ            基板
１１            第１の締結具
１１Ａ          第１の締結具
１１Ｂ          第１の締結具
１１Ｃ          第１の締結具
１２Ａ          凹部
１３Ｂ          貫通孔
１１１Ｃ        係止孔
２              パネル
２Ａ            パネル
２Ｂ            パネル
２Ｃ            パネル
２Ｄ            パネル
２Ｅ            パネル
２１            第２の締結具
２１Ａ          第２の締結具
２１Ｂ          第２の締結具
２１Ｃ          第２の締結具
２１Ｄ          第２の締結具
２１１Ｄ        フック
２４Ｅ          円状溝
３              第１の空間
４              第２の空間
５              置物板
５Ａ            置物板
５Ｂ            置物板
５Ｃ            置物板
５１Ｂ          ストッパー
５１Ｃ          ストッパー
【図２】
0003144779.tif 000003
【図３】
0003144779.tif 000004
【図４】
0003144779.tif 000005
【図６】
0003144779.tif 000006
【図７】
0003144779.tif 000007
【図１】
0003144779.tif 000008
【図５】
0003144779.tif 000009
【図８】
0003144779.tif 000010
【図９】
0003144779.tif 000011
【図１０】
0003144779.tif 000012
【図１１】
0003144779.tif 000013
【図１２】
0003144779.tif 000014
【図１３】
0003144779.tif 000015